(57)【要約】 【課題】信頼性の向上を図ることができる映像表示機器を提供する。【解決手段】一つの実施形態によれば、映像表示機器は、表示装置と、前記表示装置の背後を覆うカバーと、前記表示装置と前記カバーとの間に鉛直状に配置され、側方に開放された切欠き部が設けられた回路基板と、前記回路基板に実装されたスイッチとを備える。前記スイッチは、前記側方から前記切欠き部に挿入される差込部材によって押される操作部を有する。前記回路基板は、前記切欠き部の入口部が前記操作部の鉛直方向の幅よりも小さくなるように前記切欠き部の内側に向けて膨らみ前記差込部材の前記切欠き部内での高さ位置を規制する膨らみ部を有する。【選択図】図１１
2016057503.tif 000002
【特許請求の範囲】
【請求項１】
表示装置と、
前記表示装置の背後を覆うカバーと、
前記表示装置と前記カバーとの間に鉛直状に配置され、側方に開放された切欠き部が設けられた回路基板と、
前記側方から前記切欠き部に挿入される差込部材によって押される操作部を有し、前記回路基板に実装されたスイッチと、を備え、
前記切欠き部の一部は、前記操作部の鉛直方向の幅よりも大きく形成され、
前記回路基板は、前記切欠き部の入口部が前記操作部の鉛直方向の幅よりも小さくなるように前記切欠き部の内側に向けて膨らみ前記差込部材の前記切欠き部内での高さ位置を規制する膨らみ部を有した映像表示機器。
【請求項２】
請求項１の記載において、
前記スイッチは、前記切欠き部の上方または下方の位置で前記回路基板に実装されて前記操作部を回動可能に支持したスイッチ本体を含み、
前記膨らみ部は、前記切欠き部に対して前記スイッチ本体とは反対側から前記切欠き部の内側に向けて膨らんだ映像表示機器。
【請求項３】
請求項２の記載において、
前記膨らみ部は、前記切欠き部の奥部の鉛直方向の中心に比べて前記スイッチ本体寄りの位置に前記差込部材を案内する映像表示機器。
【請求項４】
請求項１乃至請求項３のいずれかの記載において、
前記回路基板に設けられ、付属部品が着脱可能なソケットと、
前記カバーを含むとともに前記表示装置を収容した筐体と、
前記筐体に取り付けられ、前記付属部品を覆う部品カバーと、をさらに備え、
前記差込部材は、前記部品カバーに一体に設けられた映像表示機器。
【請求項５】
請求項４の記載において、
前記付属部品を覆うように前記部品カバーを前記筐体に取り付けることで前記差込部材が前記操作部を押し、前記付属部品を外部に露出させるように前記部品カバーを前記筐体から離すことで前記差込部材が前記操作部から離れる映像表示機器。
【請求項６】
請求項５の記載において、
前記付属部品を制御する制御部を有し、
前記制御部は、前記付属部品が露出するように前記部品カバーが前記筐体から外されたとき、前記スイッチからの信号に基づき前記付属部品の動作を停止させる映像表示機器。
【請求項７】
請求項４乃至請求項６のいずれかの記載において、
前記筐体は、前記付属部品の下方に孔を有し、
前記部品カバーは、該部品カバーの下端部に設けられて該部品カバーの外側に向いて円弧状に延びるとともに前記孔に通された支持部を有し、該部品カバーは、前記支持部を前記孔から抜き出すに伴い前記支持部の円弧状の外形に沿って前記孔を支点として回転しながら斜め下方に自重で移動可能である映像表示機器。
【請求項８】
請求項１乃至請求項７のいずれかの記載において、
前記カバーを含むとともに前記表示装置を収容した筐体を備え、
前記筐体は、係合部を有し、
前記膨らみ部に繋がる前記回路基板の外縁部は、前記筐体の係合部が掛けられ、前記筐体によって支持される映像表示機器。
【請求項９】
請求項１乃至請求項８のいずれかの記載において、
前記膨らみ部に繋がる前記回路基板の外縁部は、該回路基板の製造時に該回路基板の基材フレームに接続されるとともに該基材フレームから切断される切断部が設けられた映像表示機器。
【請求項１０】
請求項１乃至請求項９のいずれかの記載において、
前記回路基板は、前記膨らみ部に電子部品が実装された映像表示機器。
【請求項１１】
表示装置と、
前記表示装置の背後を覆うカバーと、
前記表示装置と前記カバーとの間に鉛直状に配置され、側方に開放された切欠き部が設けられた回路基板と、
前記側方から前記切欠き部に挿入される差込部材によって押される操作部を有し、前記回路基板に実装されたスイッチと、を備え、
前記切欠き部は、前記回路基板の外縁部に対して前記操作部よりも近くに位置した部分を有し、該部分の鉛直方向の幅は、前記操作部の鉛直方向の幅よりも小さい映像表示機器。
【発明の詳細な説明】
【技術分野】
【０００１】
本発明の実施形態は、映像表示機器に関する。
【背景技術】
【０００２】
外部メモリカードカバーの開閉を検出するスイッチを備えたデジタルスチルカメラが提供されている。
【先行技術文献】
【特許文献】
【０００３】
【特許文献１】特開２００３−２４４６０５号公報
【発明の概要】
【発明が解決しようとする課題】
【０００４】
映像表示機器は、信頼性のさらなる向上が期待されている。
【０００５】
本発明の目的は、信頼性の向上を図ることができる映像表示機器を提供することである。
【課題を解決するための手段】
【０００６】
実施形態によれば、映像表示機器は、表示装置と、前記表示装置の背後を覆うカバーと、前記表示装置と前記カバーとの間に鉛直状に配置され、側方に開放された切欠き部が設けられた回路基板と、前記回路基板に実装されたスイッチとを備える。前記スイッチは、前記側方から前記切欠き部に挿入される差込部材によって押される操作部を有する。前記回路基板は、前記切欠き部の入口部が前記操作部の鉛直方向の幅よりも小さくなるように前記切欠き部の内側に向けて膨らみ前記差込部材の前記切欠き部内での高さ位置を規制する膨らみ部を有する。
【図面の簡単な説明】
【０００７】
【図１】第１実施形態に係る映像表示機器を例示した図。
【図２】図１中に示された回路基板を例示した背面図。
【図３】図２中に示された部品カバーの周囲を例示した斜視図。
【図４】図２中に示された部品カバーの周囲を例示した斜視図。
【図５】図１中に示された回路基板を拡大して例示した背面図。
【図６】図２中に示された部品カバーを例示した斜視図。
【図７】図２中に示された部品カバーを例示した斜視図。
【図８】図２中に示された部品カバーを例示した側面図。
【図９】図５中に示されたＦ９線で囲まれた領域を拡大して例示した背面図。
【図１０】図９中に示された回路基板を裏側から見た状態を例示した正面図。
【図１１】図１０中に示されたスイッチと差込部材の関係を例示した正面図。
【図１２】図１０中に示されたスイッチと差込部材の関係を例示した正面図。
【図１３】第２実施形態に係る回路基板を例示した正面図。
【図１４】第３実施形態に係る回路基板を例示した正面図。
【図１５】第４実施形態に係る回路基板を例示した正面図。
【図１６】第５実施形態に係る回路基板を例示した正面図。
【発明を実施するための形態】
【０００８】
以下、実施の形態について、図面を参照して説明する。  
本明細書では、いくつかの要素に複数の表現の例を付している。なおこれら表現の例はあくまで例示であり、上記要素が他の表現で表現されることを否定するものではない。また、複数の表現が付されていない要素についても、別の表現で表現されてもよい。
【０００９】
（第１実施形態）  
図１乃至図１２は、第１実施形態に係る映像表示機器１を示す。映像表示機器１は、例えばテレビジョン受像機である。なお本実施形態が適用可能な映像表示機器は、上記に限らず、例えばタブレット端末（多機能携帯端末）やスマートフォン、またはモニターのような機器でもよい。
【００１０】
図１は、映像表示機器１の全体を示し、図１中の（ａ）は映像表示機器１の正面図、図１中の（ｂ）は映像表示機器１の背面図を示す。映像表示機器１は、機器本体２と、該機器本体２を鉛直状に支持するスタンド３とを有する。なお、映像表示機器１は、例えば壁面などに直接取り付けられる壁掛けタイプでもよい。
【００１１】
図１に示すように、機器本体２は、筐体１１と、該筐体１１に其々収容された表示装置１２と回路基板１３を備える。筐体１１は、フロントカバー１５（フロントベゼル）と、ユニットカバー１６（バックカバー）とを含む。フロントカバー１５は、枠状に形成されて表示装置１２の表示画面１２ａを外部に露出させる開口部１５ａが設けられている。一方で、ユニットカバー１６は、表示装置１２よりも大きな外形を有するとともに、表示装置１２の背後に位置する。本実施形態では、フロントカバー１５とユニットカバー１６とが組み合わされることで、長方形の扁平状の筐体１１が形成されている。
【００１２】
表示装置１２は、画像（静止画及び動画を含む）を表示可能な表示画面１２ａを有する。表示装置１２は、略鉛直な姿勢で筐体１１に収容される。同様に、回路基板１３は、表示装置１２の背後に位置し、表示装置１２とユニットカバー１６との間に鉛直状に配置される。
【００１３】
図２は、回路基板１３の詳細を示す。回路基板１３には、例えばＩＣカード２１が着脱可能に取り付けられるソケット２２が設けられている。ＩＣカード２１は、「付属部品」、「追加部品」、及び「接続部品」の其々一例である。なお本実施形態が適用可能な「付属部品」、「追加部品」、及び「接続部品」は、ＩＣカードに限らず、他の部品やユニットでもよい。
【００１４】
ソケット２２は、例えばプラスチック製のホルダ２３と、ＩＣカード２１と通信可能なコネクタ部２４（端子部、インターフェース部）とを有する。ホルダ２３は、映像表示機器１の側方に向いて開口した開口部２３ａ（図４参照）を有する。ＩＣカード２１は、開口部２３ａからホルダ２３の内部に挿入されてホルダ２３に支持される。
【００１５】
図２に示すように、ホルダ２３の開口部２３ａは、回路基板１３の側端部１３ａに位置する。回路基板１３の側端部１３ａには、外郭部材２５（外部露出部材、筐体部材、基板カバー）が取り付けられる。外郭部材２５は、後述するように映像表示機器１の外部に露出されて映像表示機器１の外形（外郭）の一部を形成する。換言すれば、外郭部材２５は、筐体１１の一部である。外郭部材２５は、回路基板１３の側端部１３ａに沿って略鉛直方向に延びている。本実施形態では、上述のホルダ２３は、外郭部材２５と一体に形成されている。なお、ホルダ２３は、外郭部材２５と別体で形成されてもよい。
【００１６】
図３及び図４は、ホルダ２３の周囲を詳しく示す。ホルダ２３の開口部２３ａは、ユニットカバー１６の水平方向の一端部（すなわち右端部または左端部）に位置する。ユニットカバー１６の背面は、該ユニットカバー１６の端部に向かって進むに従い筐体１１の厚さが薄くなるように曲がった曲面部２６と、この曲面部２６に設けられた窪み部２７とを有する。窪み部２７は、ユニットカバー１６の背面から筐体１１の厚さ方向に窪んでいる。窪み部２７は、ホルダ２３の開口方向（略水平方向）でホルダ２３の開口部２３ａと並ぶ。窪み部２７は、表示画面１２ａと略平行な底部２７ａ（平面部）を有する。窪み部２７が設けられることで、ＩＣカード２１は、表示画面１２ａと略平行な方向でホルダ２３に対して出し入れ可能である。
【００１７】
また、ユニットカバー１６の窪み部２７は、外郭部材２５を外部に露出させる開口部２３ａが設けられている。換言すれば、窪み部２７の開口部２３ａに外郭部材２５が嵌め込まれることで、外郭部材２５は映像表示機器１の外形の一部を形成する。
【００１８】
図３及び図４に示すように、外郭部材２５には、ＩＣカード２１を覆う部品カバー２９が取り付けられる。図５乃至図８は、部品カバー２９の詳細を示す。部品カバー２９は、カバー部３０（カバー本体）、第１支持部３１、及び第２支持部３２を有する。
【００１９】
カバー部３０は、例えば略鉛直方向に延びた細長い長方形状に形成され、外郭部材２５の表面に沿う。カバー部３０は、略水平方向でホルダ２３の開口部２３ａ及びＩＣカード２１に向かい合い、ホルダ２３の開口部２３ａ及びＩＣカード２１を覆う。カバー部３０は、例えば椀状に形成され、ホルダ２３から突出したＩＣカード２１を囲う。
【００２０】
第１支持部３１及び第２支持部３２は、カバー部３０の長手方向の両端部に分かれて位置し、其々カバー部３０から外郭部材２５に向いて突出する。詳しく述べると、第１支持部３１は、カバー部３０の上端部に設けられている。第１支持部３１は、カバー部３０から外郭部材２５に向いて直線状に突出した突起である。第１支持部３１は、該第１支持部３１の先端に設けられた第１係合部３４を有する。
【００２１】
図４に示すように、外郭部材２５（筐体１１）は、ホルダ２３の開口部２３ａの上方に、第１孔３５を有する。部品カバー２９の第１支持部３１は、第１孔３５に挿入される。第１係合部３４は、弾性変形可能であるとともに、第１支持部３１が第１孔３５に差し込まれた状態で外郭部材２５の内面に引っ掛かる爪部（掛かり部）を有する。このため、第１支持部３１を第１孔３５に挿入すると、第１支持部３１が第１孔３５から抜けなくなる。
【００２２】
第１支持部３１が第１孔３５に係合すると、部品カバー２９がホルダ２３の開口部２３ａ及びＩＣカード２１を覆う第１姿勢（第１位置）に保持される。この第１姿勢では、カバー部３０は、外郭部材２５の表面と略平行になる。一方で、第１支持部３１を第１孔３５から外すことで、部品カバー２９は、ホルダ２３の開口部２３ａ及びＩＣカード２１を外部に露出させる姿勢に変形可能になる。
【００２３】
ここで図３に示すように、外郭部材２５には、部品カバー２９を固定する固定具（例えばねじ）が必要時に取り付け可能な取付穴３６が設けられている。この固定具が取り付けられると、部品カバー２９がロックされ、ＩＣカード２１の意図しない抜去（例えば盗難）をさらに効果的に抑制することができる。外郭部材２５は、取付穴３６の周囲に、周りに比べて少し窪んだ窪み部４０を有する。ユーザーは、窪み部４０に指を掛けることで、部品カバー２９を外郭部材２５から外す（離す）ことができる。
【００２４】
一方で、第２支持部３２は、カバー部３０の下端部に設けられている。第２支持部３２は、例えば第１支持部３１の数倍（例えば２倍以上）の長さを有する。第２支持部３２は、カバー部３０から離れるに従い部品カバー２９の外側に向いて円弧状に延びた比較的長い円弧部３７と、該円弧部３７の先端に設けられた第２係合部３８とを有する。
【００２５】
図４及び図５に示すように、外郭部材２５（筐体１１）は、ホルダ２３の開口部２３ａの下方（ＩＣカード２１の下方）に、第２孔３９を有する。部品カバー２９の第２支持部３２は、第２孔３９に通される。第２係合部３８は、弾性変形可能であるとともに、第２支持部３２が第２孔３９に通された状態で外郭部材２５の内面に引っ掛かる爪部（掛かり部）を有する。これにより、第２支持部３２を第２孔３９に挿入すると、第２支持部３２が第２孔３９から抜けなくなる。
【００２６】
図５に示すように、部品カバー２９は、第２支持部３２を第２孔３９から引き出すに伴い第２支持部３２の円弧状の外形に沿って第２孔３９を支点として回転しながら斜め下方に自重で移動可能である。すなわち、部品カバー２９は、例えば第２孔３９を支点として前記第１姿勢から斜め下方に回転移動され、ホルダ２３の開口部２３ａよりも下方に位置する第２姿勢（第２位置）まで移動可能である。この第２姿勢では、部品カバー２９は、第２支持部３２によって外郭部材２５に支持された状態である。
【００２７】
部品カバー２９は、第１支持部３１を第１孔３５から外すことで、例えば該部品カバー２９の自重によって上記第１姿勢から上記第２姿勢に移動可能である。上記第２姿勢では、ホルダ２３の開口部２３ａ及びＩＣカード２１が外部に露出し、ユーザーはＩＣカード２１を出し入れ可能になる。
【００２８】
ここで図２及び図５に示すように、回路基板１３は、位置決め孔４１と、挿通孔４２とを有する。位置決め孔４１は、例えば筐体１１内に設けられたフレームまたはシャーシに設けられた位置決め突起４３が係合する。位置決め突起４３の先端は、位置決め孔４１からは突出していない。挿通孔４２は、回路基板１３を固定する固定具４４（例えばねじ）が通される。固定具４４は、挿通孔４２から突出している。
【００２９】
図２に示すように、上記第１姿勢において、第１支持部３１は、円弧部３７を有することで、固定具４４を避けるように位置する。すなわち、上記第１姿勢において、第１支持部３１の第１係合部３４は、外郭部材２５から見て固定具４４よりも遠くに位置する。第１係合部３４は、例えば固定具４４と位置決め孔４１との間に位置する。このような構成によれば、部品カバー２９が上記第１姿勢から上記第２姿勢に回転しながら移動する際に、第１支持部３１が固定具４４に引っ掛かることなくスムーズに移動することができる。
【００３０】
次に、ＩＣカード２１の保護機構について説明する。  
図９は、図５中の一点鎖線Ｆ９で囲まれた領域を拡大したものである。図１０は、図９の構造を裏側から見たものである。なお説明の便宜上、図１０乃至図１２において、回路基板１３、スイッチ５３、及び差込部材５６にハッチングを施す。
【００３１】
図９及び図１０に示すように、回路基板１３は、切欠き部５１を有する。切欠き部５１は、映像表示機器１の側方に向けて開口している。外郭部材２５は、切欠き部５１に対応した領域に差込口５２を有する（図４参照）。差込口５２は、例えばホルダ２３の開口部２３ａと第１孔３５との間に位置する。切欠き部５１は、差込口５２を通じて外部に露出可能である。切欠き部５１は、通常時は、上記第１姿勢に位置する部品カバー２９によって覆われている。
【００３２】
図９及び図１０に示すように、切欠き部５１の近傍には、スイッチ５３（プッシュスイッチ）が設けられている。本実施形態では、スイッチ５３は、切欠き部５１の下方に設けられている。スイッチ５３は、回路基板１３に実装されたスイッチ本体５４と、押されることで該スイッチ５３のＯＮ／ＯＦＦを切り替える操作部５５とを有する。
【００３３】
スイッチ本体５４は、映像表示機器１の厚さ方向で回路基板１３に重なる。スイッチ本体５４は、例えば切欠き部５１の下方の位置で回路基板１３に実装されている。なお、スイッチ本体５４は、例えば切欠き部５１の上方に設けられてもよい。
【００３４】
図１１及び図１２は、操作部５５の動きを示す。操作部５５は、切欠き部５１に対応した領域、すなわち映像表示機器１の厚さ方向で切欠き部５１に重なる領域に位置する。操作部５５は、スイッチ本体５４に回動可能に支持されている。操作部５５は、側方から切欠き部５１に挿入される差込部材５６によって切欠き部５１の奥に向かって押されることでスイッチ本体５４に対して回動される。すなわち、操作部５５は、差込部材５６によって押されることでスイッチ本体５４に向いて倒される。これにより、スイッチ５３のＯＮ／ＯＦＦが切り替えられる。
【００３５】
図７及び図８に示すように、差込部材５６の一例は、部品カバー２９に一体に設けられた突起である。差込部材５６は、例えばカバー部３０と第１支持部３１との間に位置し、部品カバー２９から外郭部材２５に向いて突出している。差込部材５６は、例えば第１支持部３１よりも大きく突出している。
【００３６】
差込部材５６は、第１面５６ａと、該第１面５６ａとは反対側に位置した第２面５６ｂとを有する。第１面５６ａは、例えば下面である。第２面５６ｂは、例えば上面である。第１面５６ａは、例えば補強用の第１リブ５７が設けられている。同様に、第２面５６ｂは、補強用の第２リブ５８が設けられている。第２リブ５８は、切欠き部５１の内側に挿入され、切欠き部５１の内面（例えば後述する膨らみ部６６）に当接可能である。
【００３７】
ＩＣカード２１を覆うように部品カバー２９を外郭部材２５に取り付けると、差込部材５６が切欠き部５１に挿入され、差込部材５６がスイッチ５３の操作部５５を押す。これにより、スイッチ５３が作動される。一方で、ＩＣカード２１を外部に露出させるように部品カバー２９を外郭部材２５から外す（離す）と、差込部材５６が切欠き部５１から抜かれ、差込部材５６がスイッチ５３の操作部５５から離れる。これにより、スイッチ５３の作動状態が解除される。
【００３８】
回路基板１３は、ＩＣカード２１及びソケット２２を制御する制御部５９（図２参照）を有する。制御部５９は、例えば回路基板１３に設けられた電子部品５９ａによって形成されている。なお、制御部５９は、他の回路基板に設けられた電子部品によって形成されてもよい。
【００３９】
制御部５９は、ＩＣカード２１とソケット２２との間の通信のＯＮ／ＯＦＦを切り替えるスイッチング機能を有する。制御部５９は、スイッチ５３の作動状態が解除されたとき、スイッチ５３からの信号（制御信号）に基づきＩＣカード２１の動作を安全に停止させる。例えば、制御部５９は、スイッチ５３の作動状態が解除されたとき、ＩＣカード２１とソケット２２との間の通信を停止させる。
【００４０】
次に、切欠き部５１の形状について詳しく述べる。  
図１１及び図１２に示すように、切欠き部５１は、第１縁部６１と、第２縁部６２と、第３縁部６３とによって形成されている。第１縁部６１は、例えば切欠き部５１の下縁部である。第１縁部６１は、差込部材５６の第１面５６ａに面する。第１縁部６１は、スイッチ本体５４に隣接し、略水平方向に延びている。
【００４１】
第２縁部６２は、第１縁部６１とは反対側に位置する。第２縁部６２は、例えば切欠き部５１の上縁部である。すなわち、第１縁部６１と第２縁部６２とによって、切欠き部５１の鉛直方向の幅が規定される。第２縁部６２は、差込部材５６の第２リブ５８（第２面５６ｂ）に面する。第３縁部６３は、切欠き部５１の最奥部に位置する。第３縁部６３は、第１縁部６１とは交差した方向に延びて第１縁部６１と第２縁部６２との間を繋いでいる。
【００４２】
本実施形態では、切欠き部５１は、操作部５５の鉛直方向の幅Ｗ１よりも大きな部分を有する。例えば、切欠き部５１の奥部６４の鉛直方向の幅Ｗ２は、操作部５５の鉛直方向の幅Ｗ１よりも大きい。
【００４３】
ここで、第２縁部６２は、差込部材５６の高さ位置（鉛直方向の位置）を規制する膨らみ部６６を有する。膨らみ部６６は、第２縁部６２において、回路基板１３の外縁部１３ｂに繋がる領域（すなわち、切欠き部５１の入口部６７）に設けられている。外縁部１３ｂは、回路基板１３の外周面を形成する縁部である。入口部６７は、例えば、スイッチ５３の操作部５５と回路基板１３の外縁部１３ｂとの間に位置する領域である。
【００４４】
膨らみ部６６は、切欠き部５１の入口部６７の鉛直方向の幅Ｗ３が操作部５５の鉛直方向の幅Ｗ１よりも小さくなるように、切欠き部５１の内側に向けて膨らんでいる。膨らみ部６６は、切欠き部５１の鉛直方向の幅を狭めるように膨らんだ回路基板１３の一部である。膨らみ部６６は、例えば差込部材５６に当接することで、差込部材５６の切欠き部５１内での高さ位置を規制する。
【００４５】
図１１に示すように、膨らみ部６６は、切欠き部５１に対してスイッチ本体５４とは反対側から切欠き部５１の内側に向けて膨らんでいる。膨らみ部６６は、例えば、切欠き部５１の奥部６４の鉛直方向の中心に比べてスイッチ本体５４寄りの位置に差込部材５６を案内可能である。
【００４６】
切欠き部５１の形状をさらに詳しく述べると、第１縁部６１と第２縁部６２との間の間隔が最も狭くなる位置Ｐにおいて第２縁部６２を通る水平線Ｈ（想像線）を引くと、水平線Ｈは操作部５５と重なる。すなわち、第２縁部６２は、位置Ｐにおいて、操作部５５の先端部５５ａよりも下方に位置する。
【００４７】
本実施形態では、第２縁部６２は、位置Ａにおいて差込部材５６を支持可能な曲面部７１と、該曲面部７１から切欠き部５１の奥に向いて延びた直線部７２とを有する。直線部７２は、第１縁部６１に対して交差する方向に延び、切欠き部５１の奥に向いて進むに従い第１縁部６１から離れる方向に傾いている。直線部７２は、切欠き部５１の奥部において緩やかな円弧で第３縁部６３に繋がっている。このような構成によれば、第２縁部６２の形状を比較的単純にすることができ、切欠き部５１の加工を容易にすることができる（例えば、加工機への切削経路の入力を容易にすることができる）。
【００４８】
換言すれば、切欠き部５１は、回路基板１３の外縁部１３ｂに対して操作部５５よりも遠くに位置した第１部分５１ａと、回路基板１３の外縁部１３ｂに対して操作部５５よりも近くに位置した第２部分５１ｂとを有する。第１部分５１ａの鉛直方向の幅は、操作部５５の鉛直方向の幅Ｗ１よりも大きい。第２部分５１ｂの鉛直方向の幅は、操作部５５の鉛直方向の幅Ｗ１よりも小さい。
【００４９】
図９に示すように、外郭部材２５は、切欠き部５１の背後に突出部７５を有する。突出部７５は、映像表示機器１の厚さ方向で切欠き部５１に面する。差込部材５６は、例えば突出部７５に案内されて映像表示機器１の厚さ方向の位置が規制されてもよい。
【００５０】
次に、本実施形態の構成の作用について説明する。  
図２及び図３に示すように、部品カバー２９は、通常時、外郭部材２５に取り付けられている。すなわち、第１支持部３１が第１孔３５に係合し、部品カバー２９が外郭部材２５から容易に外れないようになっている。この第１姿勢では、部品カバー２９は、ＩＣカード２１を覆い、ユーザーはＩＣカード２１に直接に触れることができない。これにより、回路基板１３の電気回路が通信している状態（例えば、ＩＣカード２１とソケット２２とが通信している状態）でＩＣカード２１の誤抜去が防止される。この第１姿勢では、差込部材５６がスイッチ５３の操作部５５を押し、スイッチ５３が作動している。
【００５１】
ＩＣカードを抜くときは、ユーザーは、まず部品カバー２９を上記第１姿勢から上記第２姿勢に移動させ、ＩＣカード２１を外部に露出させる必要がある。ここで、ＩＣカード２１に関する処理が適切に終了していない場合に部品カバー２９が第１姿勢から移動されると、差込部材５６が切欠き部５１から抜かれ、スイッチ５３がＯＦＦ状態になる。制御部５９は、スイッチ５３がＯＦＦ状態になると、ＩＣカード２１とソケット２２との通信を停止し、必要なデータや情報をメモリに退避させるなどＩＣカード２１を安全に停止させる終了処理を行う。これにより、ＩＣカード２１の誤抜去を防止することができる。
【００５２】
次に、部品カバー２９を上記第２姿勢から上記第１姿勢に戻す場合について説明する。この場合、部品カバー２９は、円弧状の第２支持部３２によって外郭部材２５に支持されているため、第１支持部３１と第１孔３５との位置合わせが難しくなる可能性がある。
【００５３】
しかしながら、本実施形態では、部品カバー２９を上記第２姿勢から上記第１姿勢に戻すとき、第１支持部３１よりも大きな差込部材５６が切欠き部５１にまず差し込まれる。これにより、部品カバー２９のおおよその位置合わせがなされ、第１支持部３１が第１孔３５に向いて案内される。すなわち、回路基板１３の切欠き部５１に差し込まれる差込部材５６が設けられることで、第１支持部３１と第１孔３５との位置合わせが容易になる。
【００５４】
以上のような構成によれば、信頼性の向上を図ることができる映像表示機器１を提供することができる。ここで比較のため、膨らみ部６６が設けられていない構造について考える。この場合、部品同士の組付け寸法公差や部品毎の寸法公差、及びスイッチ自体の差動位置公差が累積し、スイッチを操作している状態での信頼性の確保が難しくなる場合がある。
【００５５】
すなわち、公差が累積すると、スイッチに対する作動部材の位置がずれるため、スイッチを押す位置が変わり、所定の量だけ押し込んでもスイッチの切り替えができない場合が想定される。このため、上記信頼性を確保するためには、各部品の寸法精度を厳しくし、かつ高精度な組付け技術が必要となる。このため製品が高価格になる可能性がある。
【００５６】
一方で、本実施形態では、映像表示機器１は、表示装置１２と、表示装置１２の背後を覆うユニットカバー１６と、表示装置１２とユニットカバー１６との間に鉛直状に配置され、側方に開放された切欠き部５１が設けられた回路基板１３と、回路基板１３に実装されたスイッチ５３とを備える。スイッチ５３は、前記側方から切欠き部５１に挿入される差込部材５６によって押される操作部５５を有する。回路基板１３は、切欠き部５１の入口部６７が操作部５５の鉛直方向の幅Ｗ１よりも小さくなるように切欠き部５１の内側に向けて膨らみ差込部材５６の切欠き部５１内での高さ位置を規制する膨らみ部６６を有する。
【００５７】
このような構成によれば、スイッチ５３を実装する回路基板１３の切削形状を利用し、スイッチ５３の近傍でスイッチ５３を操作する部品の位置を規制することができる。このような膨らみ部６６は、部品公差が累積しないため、最小限の公差のみでスイッチ５３を操作する部品の位置を規制することができる。またこのような構成は、比較的低コストで簡単に実現することができる。これにより、低価格で信頼性の向上を図ることができる映像表示機器１を提供することができる。
【００５８】
本実施形態では、スイッチ５３は、切欠き部５１の上方または下方の位置で回路基板１３に実装されて操作部５５を回動可能に支持したスイッチ本体５４を含む。膨らみ部６６は、切欠き部５１に対してスイッチ本体５４とは反対側から切欠き部５１の内側に向けて膨らんでいる。このような構成によれば、スイッチ本体５４に回動可能に支持された操作部５５を差込部材５６で確実に押すことができ、これによりスイッチ５３の確実な作動を実現することができる。
【００５９】
ここで、比較のため、部品カバー２９が無い映像表示機器を考える。映像表示機器に挿入されているＩＣカードは、取り出しを容易にするために映像表示機器の機器本体から突出した状態で挿入される場合が多い。このため、ＩＣカードを接続している電気回路が信号を通信している状態で、ユーザーが誤ってＩＣカードを抜去してしまう可能性がある。
【００６０】
本実施形態では、映像表示機器１は、回路基板１３に設けられてＩＣカード２１が着脱可能なソケット２２と、筐体１１に取り付けられてＩＣカード２１を覆う部品カバー２９とをさらに備える。そして差込部材５６は、部品カバー２９に一体に設けられている。
【００６１】
すなわち、本実施形態によれば、電気回路の通信のＯＮ／ＯＦＦを切り替えるスイッチング機能を有した回路基板１３に付随して該回路基板１３に実装された切り替えスイッチ５３を操作する部品にＩＣカード２１の誤抜去を防止する機能が付加されている。このため、スイッチをＯＦＦ（またはＯＮ）させる状態までスイッチ５３を操作する部品を移動させない限り、ユーザーがＩＣカード２１に直接触れることが抑制される。これにより、ユーザーがＩＣカード２１を誤抜去することを部品カバー２９の操作のみで防止することが可能になる。これは、映像表示機器１の信頼性をさらに向上させるものである。
【００６２】
本実施形態では、ＩＣカード２１を覆うように部品カバー２９を筐体１１に取り付けることで差込部材５６が操作部５５を押す。一方で、ＩＣカード２１を外部に露出させるように部品カバー２９を筐体１１から離すことで差込部材５６が操作部５５から離れる。このような構成によれば、ＩＣカード２１の誤抜去防止をさらに確実に図ることができる。
【００６３】
本実施形態では、筐体１１は、ＩＣカード２１の下方に孔３９を有する。部品カバー２９は、該部品カバー２９の下端部に設けられて該部品カバー２９の外側に向いて円弧状に延びるとともに筐体１１の孔３９に通された支持部３２を有する。部品カバー２９は、支持部３２を孔３９から抜き出すに伴い支持部３２の円弧状の外形に沿って孔３９を支点として回転しながら斜め下方に自重で移動可能である。このような構成によれば、差込部材５６が設けられた部品カバー２９を開くとき、部品カバー２９が自重によって邪魔にならない位置まで移動可能であるとともに、部品カバー２９による外郭部材２５の表面の専有面積が小さくなるので、外郭部材２５に端子（例えばコネクタ８３）などを設けやすくなる。これは、映像表示機器１の小型化に寄与する。
【００６４】
次に、第２乃至第５の実施形態に係る映像表示機器１について説明する。なお、第１実施形態の構成と同一または類似の機能を有する構成は、同一の符号を付してその説明を省略する。また、下記に説明する以外の構成は、第１実施形態と同じである。
【００６５】
（第２実施形態）  
図１３は、第２実施形態に係る回路基板１３を示す。本実施形態では、外郭部材２５（筐体１１）は、回路基板１３に向いて突出して回路基板１３に掛かる係合部８１を有する。係合部８１は、例えば回路基板１３を筐体１１に保持するための爪部である。本実施形態では、回路基板１３は、膨らみ部６６に繋がる外縁部８２を有する。すなわち、外縁部８２は、膨らみ部６６を設けることによって延長された回路基板１３の外縁部を含む。本実施形態では、筐体１１の係合部８１は、例えば膨らみ部６６の近傍において回路基板１３の外縁部８２に掛けられ、外縁部８２を支持する。係合部８１の一例は、膨らみ部６６を設けることによって延長された回路基板１３の部分に掛けられる。
【００６６】
このような構成によれば、上記第１実施形態と同様に、映像表示機器１の信頼性の向上を図ることができる。さらに本実施形態によれば、筐体１１に対する回路基板１３の保持がさらに強固になるため、映像表示機器１の信頼性の向上をさらに図ることができる。
【００６７】
すなわち、回路基板１３の周縁部は、コネクタ８３などが実装されるため、コネクタ８３に対する挿抜に伴い外力が加わりやすく、ひねられたりすることも少なくない。しかしながら、回路基板１３の縁部は、コネクタ８３などの実装スペースを確保するために、筐体１１に対する保持構造を設けることができる場所が限られている。
【００６８】
そこで本実施形態では、膨らみ部６６が設けられることで増加した回路基板１３の外縁部８２を利用し、外縁部８２が筐体１１の係合部８１を受けている。このような構成によれば、回路基板１３に外力が加わったとしても、その外力を筐体１１で受けることができる。これにより、回路基板１３の寿命を延ばすことができ、映像表示機器１の信頼性の向上を図ることができる。
【００６９】
（第３実施形態）  
図１４は、第３実施形態に係る回路基板１３を示す。回路基板１３は、例えば複数の回路基板１３を含む一枚の基材から切り出されることで形成される。回路基板１３の製造時の最終段階では、回路基板１３は、基材フレーム９１（外枠）に複数の切断部９２で接続されるとともに、この切断部９２を切り離すことで基材フレーム９１から切断される。本実施形態では、切断部９２は、例えば膨らみ部６６の近傍において回路基板１３の外縁部８２に設けられている。切断部９２の一例は、膨らみ部６６を設けることによって延長された回路基板１３の部分に設けられる。
【００７０】
このような構成によれば、上記第１実施形態と同様に、映像表示機器１の信頼性の向上を図ることができる。さらに本実施形態では、膨らみ部６６が設けられることで増加した回路基板１３の外縁部８２を利用し、基材フレーム９１に繋がる切断部９２が設けられている。すなわち、切断部９２は、回路基板１３を基材フレーム９１に支持させるため、ある程度の大きさが必要になる。しかしながら上記構成によれば、回路基板１３の外縁部８２を利用することで、比較的大きな切断部９２を設けることができる。これは、製造時の安定性を通じて映像表示機器１の信頼性の向上に寄与する。
【００７１】
（第４実施形態）  
図１５は、第４実施形態に係る回路基板１３を示す。回路基板１３は、膨らみ部６６に例えば複数の電子部品１０１が実装されている。このような構成によれば、膨らみ部６６を利用して電子部品１０１の実装スペースが確保され、回路基板１３の小型化を図ることができる。これは、映像表示機器１の小型化や薄型化に寄与する。
【００７２】
（第５実施形態）  
図１６は、第５実施形態に係る回路基板１３を示す。なお説明の便宜上、図１６において、回路基板１３、スイッチ５３、及び差込部材５６にハッチングを施す。
【００７３】
本実施形態では、切欠き部５１の入口部６７の鉛直方向の幅Ｗ３は、スイッチ５３の操作部５５の鉛直方向の幅Ｗ１よりも大きい。一方で、差込部材５６の鉛直方向の厚さは、第１実施形態に係る差込部材５６の鉛直方向の厚さよりも大きい。このような構成によっても、差込部材５６の高さ方向の位置を膨らみ部６６によって規制することができる。ただし、上記第１実施形態の構成のほうが、スイッチ５３の操作部５５に対して差込部材５６の高さ方向の位置を膨らみ部６６によって精度良く規制することができる。
【００７４】
以上、第１乃至第５の実施形態について説明したが、実施形態の構成は上記に限られるものではない。例えば、スイッチ５３は、操作部５５が斜めに倒れるものに限らず、ストレートに押されるプッシュスイッチでもよい。
【００７５】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００７６】
１…映像表示機器、１１…筐体、１２…表示装置、１３…回路基板、１６…ユニットカバー、２１…ＩＣカード、２２…ソケット、２５…外郭部材、２９…部品カバー、３２…支持部、３７…円弧部、３９…孔、５１…切欠き部、５３…スイッチ、５４…スイッチ本体、５５…操作部、５６…差込部材、５９…制御部、６６…膨らみ部、６７…入口部、８１…係合部、８２…外縁部、９１…基材フレーム、９２…切断部、１０１…電子部品
【図１】
2016057503.tif 000003
【図２】
2016057503.tif 000004
【図３】
2016057503.tif 000005
【図４】
2016057503.tif 000006
【図５】
2016057503.tif 000007
【図６】
2016057503.tif 000008
【図７】
2016057503.tif 000009
【図８】
2016057503.tif 000010
【図９】
2016057503.tif 000011
【図１０】
2016057503.tif 000012
【図１１】
2016057503.tif 000013
【図１２】
2016057503.tif 000014
【図１３】
2016057503.tif 000015
【図１４】
2016057503.tif 000016
【図１５】
2016057503.tif 000017
【図１６】
2016057503.tif 000018